(57)【要約】  本開示の一実施形態に係る光学装置は、可逆性記録媒体に対して、情報の書き込みおよび消去のうち少なくとも一方を行う装置である。この光学装置は、近赤外域（７００ｎｍ〜２５００ｎｍ）において発光波長の互いに異なる複数のレーザ素子と、複数のレーザ素子から出射されたレーザ光を合波する光学系と、光学系による合波により得られた合波光を可逆性記録媒体上で走査するスキャナ部とを備えている。
2018225386.tif 000002
【特許請求の範囲】
【請求項１】
可逆性感熱発色性組成物と光熱変換剤とを含む複数の記録部を備え、各前記可逆性感熱発色性組成物の発色色調が前記記録部ごとに異なるとともに各前記光熱変換剤の吸収波長が前記記録部ごとに近赤外域（７００ｎｍ〜２５００ｎｍ）において異なる可逆性記録媒体に対して、情報の書き込みおよび消去のうち少なくとも一方を行う光学装置であって、
近赤外域において発光波長の互いに異なる複数のレーザ素子と、
前記複数のレーザ素子から出射されたレーザ光を合波する光学系と、
前記光学系による合波により得られた合波光を前記可逆性記録媒体上で走査するスキャナ部と
を備えた
光学装置。
【請求項２】
各前記レーザ素子は、前記可逆性記録媒体に対する書き込みを行う際は、書き込み対象の前記記録部の温度が前記光熱変換剤による発熱により発色温度以上となるように設定された条件下でレーザ光を出力する
請求項１に記載の光学装置。
【請求項３】
各前記レーザ素子は、前記可逆性記録媒体に書き込まれた情報の消去を行う際は、消去対象の前記記録部の温度が前記光熱変換剤による発熱により消色温度以上発色温度未満となるように設定された条件下でレーザ光を出力する
請求項２に記載の光学装置。
【請求項４】
前記可逆性記録媒体に書き込まれた情報の消去を行う際の前記可逆性記録媒体上のエネルギー密度[Ｗ／ｃｍ2]が、前記可逆性記録媒体に書き込みを行う際の前記可逆性記録媒体上のエネルギー密度[Ｗ／ｃｍ2]よりも小さくなるように、前記可逆性記録媒体上のエネルギー密度[Ｗ／ｃｍ2]を制御する制御機構を更に備えた
請求項３に記載の光学装置。
【請求項５】
前記制御機構は、各前記レーザ素子の消去時のレーザパワーが各前記レーザ素子の書き込み時のレーザパワーよりも小さくなるように各前記レーザ素子を制御するレーザ駆動回路である
請求項４に記載の光学装置。
【請求項６】
前記制御機構は、各前記レーザ素子の消去時のレーザパルスの照射時間が各前記レーザ素子の書き込み時の照射時間よりも短くなるように各前記レーザ素子を制御するレーザ駆動回路である
請求項４に記載の光学装置。
【請求項７】
前記制御機構は、各前記レーザ素子の消去時のレーザパルスが矩形状となるように、そして、各前記レーザ素子の書き込み時のレーザパルスが消去時の波形とは異なる波形となるように各前記レーザ素子を制御するレーザ駆動回路である
請求項４に記載の光学装置。
【請求項８】
前記制御機構は、各前記レーザ素子の消去時のスキャン速度が各前記レーザ素子の書き込み時のスキャン速度よりも早くなるように前記スキャナ部を制御するスキャナ駆動回路である
請求項４に記載の光学装置。
【請求項９】
前記制御機構は、前記合波光のフォーカス調整を行う機構である
請求項４に記載の光学装置。
【請求項１０】
近赤外域（７００ｎｍ〜２５００ｎｍ）において発光波長の互いに異なる複数のレーザ素子と、
前記複数のレーザ素子から出射されたレーザ光を合波する光学系と、
前記光学系による合波により得られた合波光を、発色色調が互いに異なる可逆性の複数の記録部を有する可逆性記録媒体上で走査するスキャナ部と
を備えた
描画及び消去装置。
【請求項１１】
可逆性感熱発色性組成物と光熱変換剤とを含む複数の記録部を備え、各前記可逆性感熱発色性組成物の発色色調が前記記録部ごとに異なるとともに各前記光熱変換剤の吸収波長が前記記録部ごとに近赤外域（７００ｎｍ〜２５００ｎｍ）において異なる可逆性記録媒体に対して、
近赤外域において発光波長の互いに異なる複数のレーザ素子から出射されたレーザ光を合波し、それにより得られた合波光を前記可逆性記録媒体上で走査することにより、情報の書き込みおよび消去のうち少なくとも一方を行うことを含む
照射方法。
【発明の詳細な説明】
【技術分野】
【０００１】
本開示は、光学装置、描画及び消去装置、ならびに照射方法に関する。
【背景技術】
【０００２】
ロイコ色素などの感熱発色性組成物を用いた感熱方式の記録媒体が普及している（例えば、特許文献１〜３参照）。現在、そのような記録媒体には、一度書き込んだら消去のできない不可逆性の記録媒体と、何度でも書き換え可能な可逆性の記録媒体が実用化されている。可逆性の記録媒体では、単色表示が実用化されている一方で、フルカラー表示はまだ実用化されていない。
【先行技術文献】
【特許文献】
【０００３】
【特許文献１】特開２００４−７４５８４号公報
【特許文献２】特開２００４−１８８８２７号公報
【特許文献３】特開２０１１−１０４９９５号公報
【発明の概要】
【０００４】
ところで、感熱方式の記録媒体では、書き込みや消去の際に過剰な熱量が加えられると、記録媒体が変形するおそれがある。従って、記録媒体の変形を抑制することの可能な光学装置、描画及び消去装置、ならびに照射方法を提供することが望ましい。
【０００５】
本開示の一実施形態に係る光学装置は、可逆性記録媒体に対して、情報の書き込みおよび消去のうち少なくとも一方を行う装置である。ここで、可逆性記録媒体では、可逆性感熱発色性組成物と光熱変換剤とを含む複数の記録部を備えている。この可逆性記録媒体では、さらに、各可逆性感熱発色性組成物の発色色調が記録部ごとに異なるとともに各光熱変換剤の吸収波長が記録部ごとに近赤外域（７００ｎｍ〜２５００ｎｍ）において異なっている。光学装置は、近赤外域において発光波長の互いに異なる複数のレーザ素子と、複数のレーザ素子から出射されたレーザ光を合波する光学系と、光学系による合波により得られた合波光を可逆性記録媒体上で走査するスキャナ部とを備えている。
【０００６】
本開示の一実施形態に係る描画及び消去装置は、近赤外域において発光波長の互いに異なる複数のレーザ素子と、複数のレーザ素子から出射されたレーザ光を合波する光学系と、光学系による合波により得られた合波光を可逆性記録媒体上で走査するスキャナ部とを備えている。
【０００７】
本開示の一実施形態に係る描画方法は、可逆性感熱発色性組成物と光熱変換剤とを含む複数の記録部を備え、各可逆性感熱発色性組成物の発色色調が記録部ごとに異なるとともに各光熱変換剤の吸収波長が記録部ごとに近赤外域（７００ｎｍ〜２５００ｎｍ）において異なる可逆性記録媒体に対して、以下のことを行うことを含む。
近赤外域において発光波長の互いに異なる複数のレーザ素子から出射されたレーザ光を合波し、それにより得られた合波光を可逆性記録媒体上で走査することにより、情報の書き込みおよび消去のうち少なくとも一方を行うこと
【０００８】
本開示の一実施形態に係る光学装置、描画及び消去装置、ならびに描画方法では、近赤外域において発光波長の互いに異なる複数のレーザ素子から出射されたレーザ光が合波され、それにより得られた合波光が可逆性記録媒体上で走査される。このように、各レーザ素子を同時に駆動することで、各レーザ素子を時間的に別々に駆動した場合と比べて、熱拡散の観点から書き込み効率もしくは消去効率が良くなる。これにより、書き込みや消去に必要なエネルギーが低くなる。
【０００９】
本開示の一実施形態に係る光学装置、描画及び消去装置、ならびに描画方法によれば、書き込みや消去に必要なエネルギーが低くなるようにしたので、記録媒体の変形を抑制することができる。なお、本開示の効果は、ここに記載された効果に必ずしも限定されず、本明細書中に記載されたいずれの効果であってもよい。
【図面の簡単な説明】
【００１０】
【図１】本開示の一実施の形態に係る描画装置の概略構成例を表す図である。
【図２】可逆性記録媒体の断面構成例を表す図である。
【図３】可逆性記録媒体に含まれる各記録層の吸収波長の一例を表す図である。
【図４】可逆性記録媒体へのレーザ光の照射手順の一例を表す図である。
【図５】光源部の光出力波形の一例を表す図である。
【図６】光源部の光出力波形の一例を表す図である。
【図７】光源部の光出力波形の一例を表す図である。
【図８】光源部の光出力によって形成される光スポットの一例を表す図である。
【図９】実施例に係る書き込み実験の結果を表す図である。
【図１０】実施例に係る消去実験の結果を表す図である。
【図１１】比較例に係る書き込み実験の結果を表す図である。
【図１２】比較例に係る消去実験の結果を表す図である。
【図１３】比較例に係る消去実験の結果を表す図である。
【発明を実施するための形態】
【００１１】
以下、本開示を実施するための形態について、図面を参照して詳細に説明する。以下の説明は本開示の一具体例であって、本開示は以下の態様に限定されるものではない。
【００１２】
＜１．実施の形態＞
[構成]
本開示の一実施の形態に係る描画装置１について説明する。描画装置１は、本開示の「描画及び消去装置」の一具体例に相当する。図１は、本実施の形態に係る描画装置１のシステム構成例を表したものである。描画装置１は、可逆性記録媒体１００に対して、情報の書き込みおよび消去を行う。最初に、可逆性記録媒体１００について説明し、その後に、描画装置１について説明する。
【００１３】
（可逆性記録媒体１００）
図２は、可逆性記録媒体１００に含まれる各層の構成例を表したものである。可逆性記録媒体１００は、発色色調が互いに異なる複数の記録層１３３を備えている。記録層１１３は、本開示の「記録部」の一具体例に相当する。可逆性記録媒体１００は、例えば、基材１１０上に記録層１１３と断熱層１１４とが交互に積層された構造となっている。
【００１４】
可逆性記録媒体１００は、例えば、基材１１０上に、下地層１１２と、３つの記録層１１３（１１３ａ，１１３ｂ，１１３ｃ）と、２つの断熱層１１４（１１４ａ，１１４ｂ）と、保護層１１５とを備えている。３つの記録層１３（１１３ａ，１１３ｂ，１１３ｃ）は、基材１１０側から、記録層１１３ａ、記録層１１３ｂ、記録層１１３ｃの順に配置されている。２つの断熱層１１４（１１４ａ，１１４ｂ）は、基材１１０側から、断熱層１１４ａ、断熱層１１４ｂの順に配置されている。下地層１１２は、基材１１０の表面に接して形成されている。保護層１１５は、可逆性記録媒体１００の最表面に形成されている。
【００１５】
基材１１０は、各記録層１１３および各断熱層１１４を支持する。基材１１０は、その表面に各層を形成するための基板として機能する。基材１１０は光を透過するものであってもよいし、光を透過しないものであってもよい。光を透過しない場合には、基材１１０の表面の色は、例えば白色であってもよいし、白色以外の色であってもよい。基材１１０は、例えば、ＡＢＳ樹脂により構成されている。下地層１１２は、記録層１１３ａと基材１１０との密着性を向上させる機能を有するものである。下地層１１２は、例えば、光を透過する材料によって構成されている。
【００１６】
３つの記録層１１３（１１３ａ，１１３ｂ，１１３ｃ）は、発色状態と消色状態との間で可逆的に状態を変化させることができるものである。３つの記録層１１３（１１３ａ，１１３ｂ，１１３ｃ）は、発色状態における色が互いに異なる色になるように構成されている。３つの記録層１１３（１１３ａ，１１３ｂ，１１３ｃ）は、それぞれ、ロイコ色素１００Ａ（可逆性感熱発色性組成物）と、書き込みの際に発熱させる光熱変換剤１００Ｂ（光熱変換剤）とを含んで構成されている。３つの記録層１３（１１３ａ，１１３ｂ，１１３ｃ）は、それぞれ、さらに、顕色剤およびポリマーを含んで構成されている。
【００１７】
ロイコ色素１００Ａは、熱により顕色剤と結合して発色状態になり、あるいは顕色剤と分離して消色状態になるものである。各記録層１１３（１１３ａ，１１３ｂ，１１３ｃ）に含まれるロイコ色素１００Ａの発色色調は、記録層１１３ごとに異なっている。記録層１１３ａに含まれるロイコ色素１００Ａは、熱により顕色剤と結合することによりマゼンタ色に発色する。記録層１１３ｂに含まれるロイコ色素１００Ａは、熱により顕色剤と結合することによりシアン色に発色する。記録層１１３ｃに含まれるロイコ色素１００Ａは、熱により顕色剤と結合することにより黄色に発色する。３つの記録層１１３（１１３ａ，１１３ｂ，１１３ｃ）の位置関係は、上記の例に限定されるものではない。また、３つの記録層１１３（１１３ａ，１１３ｂ，１１３ｃ）は、消色状態では透明になる。これにより、可逆性記録媒体１００は、広い色域の色を用いて、画像を記録することができるようになっている。
【００１８】
光熱変換剤１００Ｂは、近赤外域（７００ｎｍ〜２５００ｎｍ）の光を吸収して熱を発するものである。なお、本明細書では、近赤外域とは、７００ｎｍ〜２５００ｎｍの波長帯を指している。各記録層１１３（１１３ａ，１１３ｂ，１１３ｃ）に含まれる光熱変換剤１００Ｂの吸収波長は、近赤外域（７００ｎｍ〜２５００ｎｍ）において互いに異なっている。図３は、各記録層１１３（１１３ａ，１１３ｂ，１１３ｃ）に含まれる光熱変換剤１００Ｂの吸収波長の一例を表したものである。記録層１１３ｃに含まれる光熱変換剤１００Ｂは、例えば、図３（Ａ）に示したように、８００ｎｍに吸収ピークを有している。記録層１１３ｂに含まれる光熱変換剤１１０Ｂは、例えば、図３（Ｂ）に示したように、８６０ｎｍに吸収ピークを有している。記録層１１３ａに含まれる光熱変換剤１００Ｂは、例えば、図３（Ｃ）に示したように、９１５ｎｍに吸収ピークを有している。各記録層１１３（１１３ａ，１１３ｂ，１１３ｃ）に含まれる光熱変換剤１００Ｂの吸収ピークは、上記の例に限定されるものではない。
【００１９】
断熱層１１４ａは、記録層１１３ａと記録層１１３ｂとの間で互いに熱が伝わりにくくするためのものである。断熱層１１４ｂは、記録層１１３ｂと記録層１１３ｃとの間で互いに熱が伝わりにくくするためのものである。保護層１１５は、可逆性記録媒体１００の表面を保護するためのものであり、可逆性記録媒体１００のオーバーコート層として機能する。２つの断熱層１１４（１１４ａ，１１４ｂ）および保護層１１５は、透明な材料によって構成されている。可逆性記録媒体１００は、例えば、保護層１１５の直下に、比較的剛性の高い樹脂層（例えば、ＰＥＮ樹脂層）などを備えていてもよい。
【００２０】
[製造方法]
次に、可逆性記録媒体１００におけるいくつかの層の具体的な製造方法について説明する。
【００２１】
下記材料を含有する塗料を、ロッキングミルを用いて２時間分散させた。それにより得られた塗料をワイヤーバーで塗布し、７０℃にて５分間加熱乾燥処理を施した。このようにして、厚さ３μｍの記録層１３を形成した。
【００２２】
記録層１１３ａを形成するための塗料には以下の材料を含む。
・ロイコ色素（２重量部）
【化１】
2018225386.tif 000003
・顕・減色剤（４重量部）
【化２】
2018225386.tif 000004
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１９重量部
（Ｈ．Ｗ．ＳＡＮＤＳ社製、ＳＤＡ７７７５、吸収波長ピーク：９３３ｎｍ）
【００２３】
記録層１１３ｂを形成するための塗料には以下の材料を含む。
・ロイコ色素（１．８重量部）
【化３】
2018225386.tif 000005
・顕・減色剤（４重量部）
【化４】
2018225386.tif 000006
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１２重量部
（Ｈ．Ｗ．ＳＡＮＤＳ社製、ＳＤＡ５６８８、吸収波長ピーク８６１ｎｍ）
【００２４】
記録層１１３ｃを形成するための塗料には以下の材料を含む。
・ロイコ色素１００Ａ（１．３重量部）
【化５】
2018225386.tif 000007
・顕・減色剤（４重量部）
【化６】
2018225386.tif 000008
・塩化ビニル酢酸ビニル共重合体（５重量部）
塩化ビニル９０％、酢酸ビニル１０％、平均分子量（Ｍ．Ｗ．）１１５０００
・メチルエチルケトン（ＭＥＫ）（９１重量部）
・光熱変換剤
シアニン系赤外吸収色素：０．１０重量部
（日本化薬製、ＣＹ−１０、吸収波長ピーク７９８ｎｍ）
【００２５】
ポリビニルアルコール水溶液を塗布、乾燥した。このようにして、厚さ２０μｍの断熱層１１４を形成した。また、紫外線硬化性樹脂を塗布した後、紫外線を照射して硬化させた。このようにして、厚さ約２μｍの保護層１１５を形成した。
【００２６】
（描画装置１）
次に、本実施の形態に係る描画装置１について説明する。
【００２７】
描画装置１は、信号処理回路１０、レーザ駆動回路２０、光源部３０、調整機構４０、スキャナ駆動回路５０、およびスキャナ部６０を備えている。
【００２８】
信号処理回路１０は、例えば、レーザ駆動回路２０とともに、可逆性記録媒体１００の特徴や、可逆性記録媒体１００へ書き込まれた条件に応じて、光源部３０（例えば、後述の各光源３１Ａ，３１Ｂ，３１Ｃ）に印加する電流パルスの波高値などを制御する。信号処理回路１０は、例えば、外部から入力された画像信号Ｄｉｎから、スキャナ部５０のスキャナ動作に同期し、レーザ光の波長などの特性に応じた画像信号を生成する。描画装置１が可逆性記録媒体１００に対して書き込みを行う際には、画像信号Ｄｉｎは、可逆性記録媒体１００に書き込む画像データを含んでいる。描画装置１が可逆性記録媒体１０に対して、書き込まれた情報の消去を行う際には、画像信号Ｄｉｎは、可逆性記録媒体１００に書き込まれた画像を消去するための画像データを含んでいる。
【００２９】
信号処理回路１０は、例えば、入力された画像信号Ｄｉｎを光源部３０の各光源の波長に応じた画像信号に変換（色域変換）する。信号処理回路１０は、例えば、スキャナ部５０のスキャナ動作に同期した投影映像クロック信号を生成する。信号処理回路１０は、例えば、生成した画像信号通りにレーザ光が発光するような投影画像信号を生成する。信号処理回路１０は、例えば、生成した投影画像信号を、レーザ駆動回路２０に出力する。また、信号処理回路１０は、例えば、必要に応じて、投影画像クロック信号を、レーザ駆動回路２０に出力する。ここで、「必要に応じて」とは、後述するように、高周波信号の信号源を画像信号に同期させる際に投影画像クロック信号を用いる場合などである。
【００３０】
レーザ駆動回路２０は、例えば、各波長に応じた投影映像信号にしたがって光源部３０の各光源３１Ａ，３１Ｂ，３１Ｃを駆動する。レーザ駆動回路２０は、例えば、投影画像信号に応じた画像を描画するためにレーザ光の輝度（明暗）をコントロールする。レーザ駆動回路２０は、例えば、光源３１Ａを駆動する駆動回路２０Ａと、光源３１Ｂを駆動する駆動回路２０Ｂと、光源３１Ｃを駆動する駆動回路２０Ｃとを有している。光源３１Ａ，３１Ｂ，３１Ｃは、近赤外域のレーザ光を出射する。光源３１Ａは、例えば、発光波長λ１のレーザ光Ｌａを出射する半導体レーザである。光源３１Ｂは、例えば、発光波長λ２のレーザ光Ｌｂを出射する半導体レーザである。光源３１Ｃは、例えば、発光波長λ３のレーザ光Ｌｃを出射する半導体レーザである。発光波長λ１，λ２，λ３は、例えば、以下の式（１）、式（２）、式（３）を満たしている。
【００３１】
λａ１−２０ｎｍ＜λ１＜λａ１＋２０ｎｍ…（１）
λａ２−２０ｎｍ＜λ２＜λａ１＋２０ｎｍ…（２）
λａ１−２０ｎｍ＜λ３＜λａ１＋２０ｎｍ…（３）
【００３２】
ここで、λａ１は、記録層１１３ａの吸収波長（吸収ピーク波長）であり、例えば、９１５ｎｍである。λａ２は、記録層１１３ｂの吸収波長（吸収ピーク波長）であり、例えば、８６０ｎｍである。λａ３は、記録層１１３ｃの吸収波長（吸収ピーク波長）であり、例えば、８００ｎｍである。なお、式（１）、式（２）、式（３）における「±１０ｎｍ」は、許容誤差範囲を意味している。発光波長λ１，λ２，λ３が式（１）、式（２）、式（３）を満たす場合、発光波長λ１は、例えば、９１５ｎｍであり、発光波長λ２は、例えば、８６０ｎｍであり，発光波長λ３は、例えば、８００ｎｍである。
【００３３】
光源部３０は、近赤外域において発光波長の互いに異なる複数の光源を有している。光源部３０は、例えば、３つの光源３１Ａ，３１Ｂ，３１Ｃを有している。光源部３０は、さらに、例えば、複数の光源（例えば、３つの光源３１Ａ，３１Ｂ，３１Ｃ）から出射されたレーザ光を合波する光学系を有している。光源部３０は、そのような光学系として、例えば、２つの反射ミラー３２ａ，３２ｄと、２つのダイクロイックミラー３２ｂ，３２ｃと、レンズ３２ｅとを有している。
【００３４】
２つの光源３１Ａ，３１Ｂから出射された各レーザ光Ｌａ，Ｌｂは、例えば、コリメートレンズによってほぼ平行光（コリメート光）にされる。その後、例えば、レーザ光Ｌａは、反射ミラー３２ａで反射されるとともにダイクロイックミラー３２ｂで反射され、レーザ光Ｌｂは、ダイクロイックミラー３２ｂを透過することにより、レーザ光Ｌａとレーザ光Ｌａとが合波される。レーザ光Ｌａとレーザ光Ｌａとの合波光は、ダイクロイックミラー３２ｃを透過する。
【００３５】
光源３１Ｃから出射されたレーザ光Ｌｃは、例えば、コリメートレンズによってほぼ平行光（コリメート光）にされる。その後、レーザ光Ｌｃは、例えば、反射ミラー３２ｄで反射されるとともにダイクロイックミラー３２ｃで反射される。これにより、ダイクロイックミラー３２ｃを透過した上記合波光と、ダイクロイックミラー３２ｃで反射されたレーザ光Ｌｃとが合波される。光源部３２は、例えば、上記の光学系による合波により得られた合波光Ｌｍをスキャナ部５０に出力する。
【００３６】
調整機構４０は、光源部３２から出射される合波光Ｌｍのフォーカスを調整するための機構である。調整機構４０は、例えば、ユーザによる手動操作によってレンズ３２ｅの位置を調整する機構である。なお、調整機構４０は、機械による操作によってレンズ３２ｅの位置を調整する機構であってもよい。
【００３７】
スキャナ駆動回路５０は、例えば、信号処理回路１０から入力された投影映像クロック信号に同期して、スキャナ部５０を駆動する。また、スキャナ駆動回路４０は、例えば、スキャナ部６０から、後述の２軸スキャナ６１などの照射角度についての信号が入力される場合には、その信号に基づいて、所望の照射角度になるようにスキャナ部６０を駆動する。
【００３８】
スキャナ部６０は、例えば、光源部３０から入射された合波光Ｌｍを、可逆性記録媒体１００の表面上で線順次で走査させる。スキャナ部６０は、例えば、２軸スキャナ６１と、ｆθレンズ６２とを有している。２軸スキャナ６１は、例えば、ガルバノミラーである。ｆθレンズ６２は、２軸スキャナ６１による等速回転運動を、焦点平面（可逆性記録媒体１００の表面）上を動くスポットの等速直線運動に変換する。
【００３９】
次に、描画装置１における情報の書き込み・消去について説明する。
【００４０】
[書き込み]
まず、可逆性記録媒体１００を用意し、描画装置１にセットする（ステップＳ１０１、図４）。次に、描画装置１は、例えば、光源３１Ａ、光源３１Ｂおよび光源３１Ｃのうち、少なくとも１つの光源からレーザ光を出射し、可逆性記録媒体１００上で走査する（ステップＳ１０２、図４）。このとき、光源部３０は、光源３１Ａ、光源３１Ｂおよび光源３１Ｃのうち、少なくとも２つの光源からレーザ光を出射した場合には、２つの光源から出射されたレーザ光同士を合波して出力する。また、光源部３０は、可逆性記録媒体１００に対する書き込みを行う際は、書き込み対象の記録層１１３の温度が光熱変換剤１００Ｂによる発熱により発色温度以上となるように設定された条件下でレーザ光を出力する。
【００４１】
その結果、例えば発光波長８００ｎｍのレーザ光Ｌａが、記録層１１３ｃ内の光熱変換剤１００Ｂに吸収され、それにより、光熱変換剤１００Ｂから発生した熱により記録層１１３ｃ内のロイコ色素１００Ａが書き込み温度に到達し、顕色剤と結合して黄色を発色する。黄色の発色濃度は、発光波長８００ｎｍのレーザ光Ｌａの強度に依る。また、例えば発光波長８６０ｎｍのレーザ光Ｌｂが、記録層１１３ｂ内の光熱変換剤１００Ｂに吸収され、それにより、光熱変換剤１００Ｂから発生した熱により記録層１１３ｂ内のロイコ色素１００Ａが書き込み温度に到達し、顕色剤と結合してシアン色を発色する。シアン色の発色濃度は、発光波長８６０ｎｍのレーザ光Ｌｂの強度に依る。また、例えば発光波長９１５ｎｍのレーザ光Ｌｃが、記録層１１３ａ内の光熱変換剤１００Ｂに吸収され、それにより、光熱変換剤１００Ｂから発生した熱により記録層１１３ａ内のロイコ色素１００Ａが書き込み温度に到達し、顕色剤と結合してマゼンタ色を発色する。マゼンタ色の発色濃度は、発光波長９１５ｎｍのレーザ光Ｌｃの強度に依る。その結果、黄色、シアン色およびマゼンタ色の混色によって、所望の色が発色する。このようにして、描画装置１は、可逆性記録媒体１００における情報の書き込みを行う。
【００４２】
[消去]
まず、上記のようにして情報の書き込まれた可逆性記録媒体１００を用意し、消去装置１にセットする（ステップＳ１０１、図４）。次に、描画装置１は、例えば、光源３１Ａ、光源３１Ｂおよび光源３１Ｃのうち、少なくとも１つの光源からレーザ光を出射し、可逆性記録媒体１００上で走査する（ステップＳ１０２、図４）。このとき、光源部３０は、光源３１Ａ、光源３１Ｂおよび光源３１Ｃのうち、少なくとも２つの光源からレーザ光を出射した場合には、２つの光源から出射されたレーザ光同士を合波して出力する。また、光源部３０は、可逆性記録媒体１００に書き込まれた情報の消去を行う際は、消去対象の記録層１１３の温度が光熱変換剤１００Ｂによる発熱により消色温度以上発色温度未満となるように設定された条件下でレーザ光を出力する。
【００４３】
その結果、可逆性記録媒体１００に照射されたレーザ光が発光波長８００ｎｍのレーザ光Ｌａを含んでいる場合には、発光波長８００ｎｍのレーザ光Ｌａが、記録層１１３ｃ内の光熱変換剤１００Ｂに吸収され、それにより、光熱変換剤１００Ｂから発生した熱により記録層１１３ｃ内のロイコ色素１００Ａが消色温度以上発色温度未満に到達し、顕色剤と分離して消色する。ここで、記録層１１３ｃ内の光熱変換剤１００Ｂから発生した熱が各記録層１１３に伝播し、各記録層１１３内のロイコ色素１００Ａが消色温度以上発色温度未満に到達した場合には、各記録層１１３内のロイコ色素１００Ａが顕色剤と分離して消色する。
【００４４】
また、可逆性記録媒体１００に照射されたレーザ光が発光波長８６０ｎｍのレーザ光Ｌｂを含んでいる場合には、発光波長８６０ｎｍのレーザ光Ｌｂが、記録層１１３ｂ内の光熱変換剤１００Ｂに吸収され、それにより、光熱変換剤１００Ｂから発生した熱により記録層１１３ｂ内のロイコ色素１００Ａが消色温度以上発色温度未満に到達し、顕色剤と分離して消色する。ここで、記録層１１３ｂ内の光熱変換剤１００Ｂから発生した熱が各記録層１１３に伝播し、各記録層１１３内のロイコ色素１００Ａが消色温度以上発色温度未満に到達した場合には、各記録層１１３内のロイコ色素１００Ａが顕色剤と分離して消色する。
【００４５】
また、可逆性記録媒体１００に照射されたレーザ光が発光波長９１５ｎｍのレーザ光Ｌｃを含んでいる場合には、発光波長９１５ｎｍのレーザ光Ｌｃが、記録層１１３ａ内の光熱変換剤１００Ｂに吸収され、それにより、光熱変換剤１００Ｂから発生した熱により記録層１１３ａ内のロイコ色素１００Ａが消色温度以上発色温度未満に到達し、顕色剤と分離して消色する。ここで、記録層１１３ａ内の光熱変換剤１００Ｂから発生した熱が各記録層１１３に伝播し、各記録層１１３内のロイコ色素１００Ａが消色温度以上発色温度未満に到達した場合には、各記録層１１３内のロイコ色素１００Ａが顕色剤と分離して消色する。このようにして、描画装置１は、可逆性記録媒体１００における情報の消去を行う。
【００４６】
ところで、描画装置１は、可逆性記録媒体１００に書き込まれた情報の消去を行う際の可逆性記録媒体１００上のエネルギー密度[Ｗ／ｃｍ2]が、可逆性記録媒体１００に書き込みを行う際の可逆性記録媒体１００上のエネルギー密度[Ｗ／ｃｍ2]よりも小さくなるように、可逆性記録媒体１００上のエネルギー密度[Ｗ／ｃｍ2]を制御する制御機構を備えている。
【００４７】
例えば、信号処理回路１０およびレーザ駆動回路２０は、上記の制御機構として、光源部３０（例えば、光源３１Ａ、光源３１Ｂ、光源３１Ｃ）の消去時のレーザパワーが光源部３０の書き込み時のレーザパワーよりも小さくなるように光源部３０を制御する機構を備えていてもよい。信号処理回路１０およびレーザ駆動回路２０は、例えば、図５（Ａ）に示したように、可逆性記録媒体１００への書き込み時には、光源部３０からの出力パルスの波高値がＷ１となるように、光源部３０に供給する電流パルスの波高値などを制御してもよい。さらに、信号処理回路１０およびレーザ駆動回路２０は、例えば、図５（Ｂ）に示したように、可逆性記録媒体１００の消去時には、光源部３０からの出力パルスの波高値がＷ２（Ｗ２＜Ｗ１）となるように、光源部３０に供給する電流パルスの波高値などを制御してもよい。
【００４８】
また、例えば、信号処理回路１０およびレーザ駆動回路２０は、上記の制御機構として、光源部３０（例えば、光源３１Ａ、光源３１Ｂ、光源３１Ｃ）の消去時のレーザパルスの照射時間ΔＴ２が光源部３０の書き込み時の照射時間ΔＴ１よりも短くなるように光源部３０を制御してもよい。信号処理回路１０およびレーザ駆動回路２０は、例えば、図６（Ａ）に示したように、可逆性記録媒体１００への書き込み時には、光源部３０（例えば、光源３１Ａ、光源３１Ｂ、光源３１Ｃ）の書き込み時のレーザパルスの照射時間（パルス幅）がΔＴ１となるように、光源部３０に供給する電流パルスのパルス幅などを制御してもよい。さらに、信号処理回路１０およびレーザ駆動回路２０は、例えば、図６（Ｂ）に示したように、可逆性記録媒体１００の消去時には、光源部３０（例えば、光源３１Ａ、光源３１Ｂ、光源３１Ｃ）の消去時のレーザパルスの照射時間（パルス幅）がΔＴ２（ΔＴ２＜ΔＴ１）となるように、光源部３０に供給する電流パルスのパルス幅などを制御してもよい。
【００４９】
また、例えば、信号処理回路１０およびレーザ駆動回路２０は、上記の制御機構として、光源部３０（例えば、光源３１Ａ、光源３１Ｂ、光源３１Ｃ）の消去時のレーザパルスが矩形状となるように、そして、光源部３０の書き込み時のレーザパルスが消去時の波形とは異なる波形となるように光源部３０を制御してもよい。信号処理回路１０およびレーザ駆動回路２０は、例えば、図７（Ａ）に示したように、光源部３０（例えば、光源３１Ａ、光源３１Ｂ、光源３１Ｃ）の消去時のレーザパルスが矩形状となるように光源部３０を制御してもよい。さらに、信号処理回路１０およびレーザ駆動回路２０は、例えば、図７（Ｂ）に示したように、光源部３０の書き込み時のレーザパルスが三角形状となるように光源部３０を制御してもよい。
【００５０】
また、例えば、信号処理回路１０およびスキャナ駆動回路５０は、上記の制御機構として、光源部３０（例えば、光源３１Ａ、光源３１Ｂ、光源３１Ｃ）の消去時のスキャン速度が光源部３０の書き込み時のスキャン速度よりも早くなるようにスキャナ駆動回路５０を制御してもよい。
【００５１】
また、例えば、調整機構４０は、上記の制御機構として、レーザ光Ｌａ、レーザ光Ｌｂ、レーザ光Ｌｃまたは合波光Ｌｍのフォーカス調整を行う機構を備えていてもよい。信号処理回路１０およびレーザ駆動回路２０は、例えば、図８（Ａ）に示したように、光源部３０（例えば、光源３１Ａ、光源３１Ｂ、光源３１Ｃ）の書き込み時のスポット径がΔＤ１となるように、レンズ３２ｅを調整してもよい。さらに、信号処理回路１０およびレーザ駆動回路２０は、例えば、図８（Ｂ）に示したように、光源部３０の消去時のスポット径がΔＤ２（ΔＤ２＞ΔＤ１）となるように、レンズ３２ｅを調整してもよい。
【００５２】
[実施例]
次に、本実施の形態に係る描画装置１の実施例について、比較例と対比して説明する。図９、図１０は、実施例に係る描画装置１の実験結果を表したものである。図１１、図１２、図１３は、比較例に係る描画装置の実験結果を表したものである。図９に記載の実施例１〜１０が書き込み時の実験結果であり、図１０に記載の実施例１１〜２０が消去時の実験結果である。
【００５３】
[実施例１，８〜１０、１１]
可逆性記録媒体１００に対して、以下に述べる条件で書き込み・消去を行い、反射濃度（ＯＤ）の測定を行った。書き込み時には、発光波長８００ｎｍ、８６０ｎｍおよび９１５ｎｍを、それぞれ出力２Ｗずつ、それぞれのスポット径を７０μｍ、それぞれのスキャン速度を５ｍ／ｓｅｃの条件下で、可逆性記録媒体１００に対してベタ画像の書き込みを行い、反射濃度を測定した。消去時には、発光波長８００ｎｍ、８６０ｎｍおよび９１５ｎｍを、それぞれ出力２Ｗずつ、それぞれのスポット径を５００μｍ、それぞれのスキャン速度を０．５ｍ／ｓｅｃの条件下で、可逆性記録媒体１００に書き込まれたベタ画像の消去を行い、消去後の反射濃度を測定した。
【００５４】
[実施例２〜７]
図９に記載の実施例２〜７では、レーザパワー、スポット径、スキャン速度を、図９に記載の実施例１とは変化させた各々の条件で、可逆性記録媒体１００に対してレーザ照射を行った際の書き込み後の反射濃度を測定した。
【００５５】
[実施例１２〜２０]
図１０に記載の実施例１２〜２０では、図９に記載の実施例２〜１０で書き込みを行った可逆性記録媒体１００に対し、レーザパワー、スポット径、スキャン速度を変化させた各々の条件で、レーザ照射を行った際の消去後の反射濃度を測定した。
【００５６】
実施例１１〜２０のいずれにおいても、反射濃度は０．２以下となっており、可逆性記録媒体１００に書き込んだベタ画像が消去されている。実施例１８，１９において、スポット径を広くするなどして、書き込み時よりも、可逆性記録媒体１００を照射するレーザ光のエネルギー密度を低下させている。このように、書き込み条件と消去条件を調整することで、同一装置で書き換えが可能となる。
【００５７】
図１１には、実施例１，５，６，７と同じ条件で、各レーザ照射を短波長側から、別照射で照射し、得られたベタ画像の反射濃度を示した。比較例１〜４では、実施例と比較すると、いずれも反射濃度が低下し、同等の反射濃度を得るためには２．５Ｗ程度のパワーが必要となることが分かった。また、各レーザ光を照射する箇所は同一ラインとなることが必須であり、そのアライメント精度も±２μｍ以下となっていることが望ましく、これを実現させるためには装置コストが上がってしまう。
【００５８】
図１２に、実施例１１，１５，１６，１７と同じ条件で、各レーザ照射を短波長側から、別照射で照射した際の反射濃度を示した。比較例５〜８では、いずれも反射濃度が０．２以上を示し、十分に消去されていない。実施例と同等に消去するには、２．５Ｗ程度のパワーを照射するか、または、スキャン速度を０．３ｍ／ｓ程度に遅くする必要があり、消費電力、タクトの観点から不利である。
【００５９】
図１３に、実施例１の条件で描画し、それを感熱プリンターに搭載されている消去用セラミックバーにより消去した際の反射濃度を示した。スキャン速度を遅くし、十分な熱量を加えると、基材(ＡＢＳ)が変形してしまう。一方、熱変形を抑制するため、スキャン速度を速くすると消え残りが生じる。以上の結果より、耐熱温度の低い基材を消去する際は、レーザによる消去が好ましい。
【００６０】
[効果]
次に、本実施の形態に係る描画装置１の効果について説明する。
【００６１】
ロイコ色素などの感熱発色性組成物を用いた感熱方式の記録媒体が普及している。現在、そのような記録媒体には、一度書き込んだら消去のできない不可逆性の記録媒体と、何度でも書き換え可能な可逆性の記録媒体が実用化されている。可逆性の記録媒体では、単色表示が実用化されている一方で、フルカラー表示はまだ実用化されていない。ところで、感熱方式の記録媒体では、書き込みや消去の際に過剰な熱量が加えられると、記録媒体が変形するおそれがある。
【００６２】
一方、本実施の形態に係る描画装置１では、近赤外域において発光波長の互いに異なる複数の光源（例えば、３１Ａ，３１Ｂ，３１Ｃ）から出射されたレーザ光が合波され、それにより得られた合波光Ｌｍが可逆性記録媒体１００上で走査される。このように、各光源を同時に駆動することで、各光源を時間的に別々に駆動した場合と比べて、熱拡散の観点から書き込み効率もしくは消去効率が良くなる。これにより、書き込みや消去に必要なエネルギーが低くなる。その結果、可逆性記録媒体１００の変形を抑制することができる。
【００６３】
また、本実施の形態に係る描画装置１では、可逆性記録媒体１００に対する書き込みを行う際は、書き込み対象の記録層１１３の温度が光熱変換剤１００Ｂによる発熱により発色温度以上となるように設定された条件下でレーザ光が出力される。これにより、書き込みに必要なエネルギー密度でレーザ照射を行うとともに、可逆性記録媒体１００の変形を抑制することができる。
【００６４】
また、本実施の形態に係る描画装置１では、可逆性記録媒体１００に書き込まれた情報の消去を行う際は、消去対象の記録層１１３の温度が光熱変換剤１００Ｂによる発熱により消色温度以上発色温度未満となるように設定された条件下でレーザ光が出力される。これにより、消去に必要なエネルギー密度でレーザ照射を行うとともに、可逆性記録媒体１００の変形を抑制することができる。
【００６５】
また、本実施の形態に係る描画装置１では、可逆性記録媒体１００に書き込まれた情報の消去を行う際の可逆性記録媒体１００上のエネルギー密度[Ｗ／ｃｍ2]が、可逆性記録媒体１００に書き込みを行う際の可逆性記録媒体１００上のエネルギー密度[Ｗ／ｃｍ2]よりも小さくなるように、可逆性記録媒体１００上のエネルギー密度[Ｗ／ｃｍ2]が制御される。これにより、書き込み・消去に必要なエネルギー密度でレーザ照射を行うとともに、可逆性記録媒体１００の変形を抑制することができる。
【００６６】
また、本実施の形態に係る描画装置１では、各光源（例えば、３１Ａ，３１Ｂ，３１Ｃ）の消去時のレーザパワーが各光源（例えば、３１Ａ，３１Ｂ，３１Ｃ）の書き込み時のレーザパワーよりも小さくなるように各光源（例えば、３１Ａ，３１Ｂ，３１Ｃ）が制御される。これにより、可逆性記録媒体１００に対して書き込まれた情報の消去を行うことができる。
【００６７】
また、本実施の形態に係る描画装置１では、各光源（例えば、３１Ａ，３１Ｂ，３１Ｃ）の消去時のレーザパルスの照射時間ΔＴ２が各光源（例えば、３１Ａ，３１Ｂ，３１Ｃ）の書き込み時の照射時間ΔＴ１よりも短くなるように各光源（例えば、３１Ａ，３１Ｂ，３１Ｃ）が制御される。これにより、可逆性記録媒体１００に書き込まれた情報の消去を行う際の可逆性記録媒体１００上のエネルギー密度[Ｗ／ｃｍ2]を、可逆性記録媒体１００に書き込みを行う際の可逆性記録媒体１００上のエネルギー密度[Ｗ／ｃｍ2]よりも小さくすることができる。その結果、書き込み・消去に必要なエネルギー密度でレーザ照射を行うとともに、可逆性記録媒体１００の変形を抑制することができる。
【００６８】
また、本実施の形態に係る描画装置１では、各光源（例えば、３１Ａ，３１Ｂ，３１Ｃ）の消去時のレーザパルスが矩形状となるように、そして、各光源（例えば、３１Ａ，３１Ｂ，３１Ｃ）の書き込み時のレーザパルスが消去時の波形とは異なる波形となるように各光源（例えば、３１Ａ，３１Ｂ，３１Ｃ）が制御される。これにより、可逆性記録媒体１００に書き込まれた情報の消去を行う際の可逆性記録媒体１００上のエネルギー密度[Ｗ／ｃｍ2]を、可逆性記録媒体１００に書き込みを行う際の可逆性記録媒体１００上のエネルギー密度[Ｗ／ｃｍ2]よりも小さくすることができる。その結果、書き込み・消去に必要なエネルギー密度でレーザ照射を行うとともに、可逆性記録媒体１００の変形を抑制することができる。
【００６９】
また、本実施の形態に係る描画装置１では、各光源（例えば、３１Ａ，３１Ｂ，３１Ｃ）の消去時のスキャン速度が各光源（例えば、３１Ａ，３１Ｂ，３１Ｃ）の書き込み時のスキャン速度よりも早くなるようにスキャナ駆動回路５０が制御される。これにより、可逆性記録媒体１００に書き込まれた情報の消去を行う際の可逆性記録媒体１００上のエネルギー密度[Ｗ／ｃｍ2]を、可逆性記録媒体１００に書き込みを行う際の可逆性記録媒体１００上のエネルギー密度[Ｗ／ｃｍ2]よりも小さくすることができる。その結果、書き込み・消去に必要なエネルギー密度でレーザ照射を行うとともに、可逆性記録媒体１００の変形を抑制することができる。
【００７０】
また、本実施の形態に係る描画装置１では、レーザ光Ｌａ、レーザ光Ｌｂ、レーザ光Ｌｃまたは合波光Ｌｍのフォーカス調整を行う調整機構４０が設けられている。これにより、書き込み時にフォーカスを相対的に小さくし、消去時にフォーカスを相対的に大きくすることにより、可逆性記録媒体１００に書き込まれた情報の消去を行う際の可逆性記録媒体１００上のエネルギー密度[Ｗ／ｃｍ2]を、可逆性記録媒体１００に書き込みを行う際の可逆性記録媒体１００上のエネルギー密度[Ｗ／ｃｍ2]よりも小さくすることができる。その結果、書き込み・消去に必要なエネルギー密度でレーザ照射を行うとともに、可逆性記録媒体１００の変形を抑制することができる。
【００７１】
以上、実施の形態およびその変形例を挙げて本開示を説明したが、本開示は上記実施の形態等に限定されるものではなく、種々変形が可能である。
【００７２】
例えば、上記実施の形態等では、可逆性記録媒体１００が記録層１１３と断熱層１１４とが交互に積層されていたが、例えば、可逆性記録媒体１００がロイコ色素１００Ａと光熱変換剤１００Ｂとを含むマイクロカプセルを含んで構成されていてもよい。また、例えば、上記実施の形態等では、各記録層１１３（１１３ａ，１１３ｂ，１１３ｃ）は、可逆性感熱発色性組成物として、ロイコ色素１００Ａを含んでいたが、ロイコ色素１００Ａとは異なる材料を含んでいてもよい。また、例えば、上記実施の形態等では、描画装置１は、可逆性記録媒体１００に対して、情報の書き込みおよび消去を行うように構成されていたが、可逆性記録媒体１００に対して、情報の書き込みおよび消去のうち少なくとも一方を行うように構成されていてもよい。
【００７３】
なお、本明細書中に記載された効果は、あくまで例示である。本開示の効果は、本明細書中に記載された効果に限定されるものではない。本開示が、本明細書中に記載された効果以外の効果を持っていてもよい。
【００７４】
また、例えば、本開示は以下のような構成を取ることができる。
（１）
可逆性感熱発色性組成物と光熱変換剤とを含む複数の記録部を備え、各前記可逆性感熱発色性組成物の発色色調が互いに異なるとともに各前記光熱変換剤の吸収波長が近赤外域（７００ｎｍ〜２５００ｎｍ）において互いに異なる情報記録部に対して、情報の書き込みおよび消去のうち少なくとも一方を行う光学装置であって、
近赤外域において発光波長の互いに異なる複数のレーザ素子と、
前記複数のレーザ素子から出射されたレーザ光を合波する光学系と、
前記光学系による合波により得られた合波光を前記情報記録部上で走査するスキャナ部と
を備えた
光学装置。
（２）
各前記レーザ素子は、前記情報記録部に対する書き込みを行う際は、書き込み対象の前記記録部の温度が前記光熱変換剤による発熱により発色温度以上となるように設定された条件下でレーザ光を出力する
（１）に記載の光学装置。
（３）
各前記レーザ素子は、前記情報記録部に書き込まれた情報の消去を行う際は、消去対象の前記記録部の温度が前記光熱変換剤による発熱により消色温度以上発色温度未満となるように設定された条件下でレーザ光を出力する
（２）に記載の光学装置。
（４）
前記情報記録部に書き込まれた情報の消去を行う際の前記情報記録部上のエネルギー密度[Ｗ／ｃｍ2]が、前記情報記録部に書き込みを行う際の前記情報記録部上のエネルギー密度[Ｗ／ｃｍ2]よりも小さくなるように、前記情報記録部上のエネルギー密度[Ｗ／ｃｍ2]を制御する制御機構を更に備えた
（３）に記載の光学装置。
（５）
前記制御機構は、各前記レーザ素子の消去時のレーザパワーが各前記レーザ素子の書き込み時のレーザパワーよりも小さくなるように各前記レーザ素子を制御するレーザ駆動回路である
（４）に記載の光学装置。
（６）
前記制御機構は、各前記レーザ素子の消去時のレーザパルスの照射時間が各前記レーザ素子の書き込み時の照射時間よりも短くなるように各前記レーザ素子を制御するレーザ駆動回路である
（４）に記載の光学装置。
（７）
前記制御機構は、各前記レーザ素子の消去時のレーザパルスが矩形状となるように、そして、各前記レーザ素子の書き込み時のレーザパルスが消去時の波形とは異なる波形となるように各前記レーザ素子を制御するレーザ駆動回路である
（４）に記載の光学装置。
（８）
前記制御機構は、各前記レーザ素子の消去時のスキャン速度が各前記レーザ素子の書き込み時のスキャン速度よりも早くなるように前記スキャナ部を制御するスキャナ駆動回路である
（４）に記載の光学装置。
（９）
前記制御機構は、前記合波光のフォーカス調整を行う機構である
（４）に記載の光学装置。
（１０）
近赤外域（７００ｎｍ〜２５００ｎｍ）において発光波長の互いに異なる複数のレーザ素子と、
前記複数のレーザ素子から出射されたレーザ光を合波する光学系と、
前記光学系による合波により得られた合波光を前記可逆性記録媒体上で走査するスキャナ部と
を備えた
描画及び消去装置。
（１１）
可逆性感熱発色性組成物と光熱変換剤とを含む複数の記録部を備え、各前記可逆性感熱発色性組成物の発色色調が互いに異なるとともに各前記光熱変換剤の吸収波長が近赤外域（７００ｎｍ〜２５００ｎｍ）において互いに異なる情報記録部に対して、
近赤外域において発光波長の互いに異なる複数のレーザ素子から出射されたレーザ光を合波し、それにより得られた合波光を前記情報記録部上で走査することにより、情報の書き込みおよび消去のうち少なくとも一方を行うことを含む
照射方法。
【００７５】
本出願は、日本国特許庁において２０１７年６月８日に出願された日本特許出願番号第２０１７−１１３４５２号を基礎として優先権を主張するものであり、この出願のすべての内容を参照によって本出願に援用する。
【００７６】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018225386.tif 000009
【図２】
2018225386.tif 000010
【図３】
2018225386.tif 000011
【図４】
2018225386.tif 000012
【図５】
2018225386.tif 000013
【図６】
2018225386.tif 000014
【図７】
2018225386.tif 000015
【図８】
2018225386.tif 000016
【図９】
2018225386.tif 000017
【図１０】
2018225386.tif 000018
【図１１】
2018225386.tif 000019
【図１２】
2018225386.tif 000020
【図１３】
2018225386.tif 000021
【国際調査報告】
2018225386.tif 000022
2018225386.tif 000023
2018225386.tif 000024
2018225386.tif 000025